(57)【要約】【課題】火災警報機等として構成される熱感知器において、保護カバー内空間に流入した空気を適切に熱検知素子側に案内して、当該熱検知素子において正確に熱を検知可能な技術を提供する。【解決手段】感知器本体１と、感知器本体１の前面１ａから前方に突出するように設けられた熱検知素子６と、熱検知素子６を覆う保護カバー２０と、保護カバー２０の後面から後方に延びる板状のフィン３１と、保護カバー２０と感知器本体１の前面１ａとを接続する支持部２１と、を備えた熱感知器であって、支持部２１が、熱検知素子側に臨む内側面２１ａを有し、フィン３１として、支持部２１の内側面２１ａ側から熱検知素子６側に延びる支持部側フィン３１を備えた。【選択図】図１
2019016183.tif 000002
【特許請求の範囲】
【請求項１】
感知器本体と、
前記感知器本体の前面から前方に突出するように設けられた熱検知素子と、
前記熱検知素子を覆う保護カバーと、
前記保護カバーの後面から後方に延びる板状のフィンと、
前記保護カバーと前記感知器本体の前面とを接続する支持部と、を備えた熱感知器であって、
前記支持部が、前記熱検知素子側に臨む内側面を有し、
前記フィンとして、前記支持部の内側面側から前記熱検知素子側に延びる支持部側フィンを備えた熱感知器。
【請求項２】
前記支持部側フィンが、前記支持部の内側面と略直交する方向に延びる平板状に構成され、
前記支持部側フィンと前記感知器本体の前面との間に隙間が形成されている請求項１に記載の熱感知器。
【請求項３】
前記支持部側フィンと前記支持部の内側面との間に隙間が形成されている請求項１又は２に記載の熱感知器。
【請求項４】
前記フィンとして、前記保護カバーの後面と前記感知器本体の前面との間の保護カバー内空間に流入した空気を前記熱検知素子側に向けて案内する流入空気案内用フィンを備えた請求項１〜３の何れか１項に記載の熱感知器。
【請求項５】
少なくとも一対の前記支持部が、前記熱検知素子を中心として互いに対称な箇所に配置され、
当該一対の支持部の内側面側の夫々に対して前記支持部側フィンが配置されている請求項１〜４の何れか１項に記載の熱感知器。
【発明の詳細な説明】
【技術分野】
【０００１】
本発明は、感知器本体と、前記感知器本体の前面から前方に突出するように設けられた熱検知素子と、前記熱検知素子を覆う保護カバーと、前記保護カバーの後面から後方に延びる板状のフィンと、前記保護カバーと前記感知器本体の前面とを接続する支持部と、を備えた熱感知器に関する。
【背景技術】
【０００２】
サーミスタ等で構成された熱検知素子を感知器本体の前面から前方に突出するように設けた熱感知器が知られている（例えば、特許文献１を参照。）。かかる熱感知器は、例えば、熱検知素子により警報レベル以上の熱を継続して検知した場合に、警報音等を出力して、利用者に対して火災の発生を報知する火災警報器等として構成されている。
【０００３】
このような熱感知器では、主に感知器本体から前方に突出して設けられた熱検知素子を外部の衝撃等から保護するために、当該熱検知素子の前方を覆う保護カバーが設けられている。保護カバーは、当該保護カバーと感知器本体の前面とを接続する支持部により感知器本体に支持されており、その後面には、後方に延びる板状のフィンを設ける場合がある。即ち、保護カバーの後面と感知器本体の前面との間の保護カバー内空間には、フィンや支持部が配置されており、当該空間に流入した空気は、これらフィンや支持部に案内されながら通流する。そして、このように保護カバー内空間を通流する空気のうちの熱検知素子に接触した空気の熱が当該熱検知素子により検知されることになる。
【先行技術文献】
【特許文献】
【０００４】
【特許文献１】特開２０１４−１９９６３２号公報
【発明の概要】
【発明が解決しようとする課題】
【０００５】
上記のような熱感知器では、保護カバー内空間に流入した空気の熱を熱検知素子にて正確に検知するためには、保護カバー内空間に流入した空気を、他の部材等に対して放熱させることなく熱検知素子に接触させることが望ましい。
【０００６】
この実情に鑑み、本発明の主たる課題は、火災警報機等として構成される熱感知器において、保護カバー内空間に流入した空気を適切に熱検知素子に接触させて、当該熱検知素子において正確に熱を検知可能な技術を提供する点にある。
【課題を解決するための手段】
【０００７】
本発明の第１特徴構成は、感知器本体と、
前記感知器本体の前面から前方に突出するように設けられた熱検知素子と、
前記熱検知素子を覆う保護カバーと、
前記保護カバーの後面から後方に延びる板状のフィンと、
前記保護カバーと前記感知器本体の前面とを接続する支持部と、を備えた熱感知器であって、
前記支持部が、前記熱検知素子側に臨む内側面を有し、
前記フィンとして、前記支持部の内側面側から前記熱検知素子側に延びる支持部側フィンを備えた点にある。
【０００８】
本構成によれば、保護カバーの後面と前記感知器本体の前面との間の保護カバー内空間において、熱検知素子側に臨む内側面を有する支持部が存在するので、その内側面に沿った空気の流れが生じやすくなる。特に、支持部の内側面が感知器本体の前面に沿った方向に長尺である場合には、支持部の内側面よりも熱検知素子側の領域において、多くの空気の流れが支持部の内側面に沿ったものとなる。
【０００９】
そして、保護カバー内空間に形成された支持部の内側面に沿った空気の流れは、それが支持部側フィンに衝突することで生じる乱流や案内作用により、熱検知素子に適切に接触することができる。
つまり、支持部の内側面に沿った空気の流れは、その流れ方向と交差する方向に延びる支持部側フィンに衝突することで、その支持部側フィンに沿った流れに変化する。ここで、支持部側フィンに沿って支持部の内側面に向かう方向には、その先に支持部の内側面が対向する姿勢で存在することから、その方向に沿った空気の流れは抑制される。よって、支持部側フィンに衝突した後の空気の流れは、積極的に、支持部側フィンに沿って支持部の内側面側とは反対側の熱検知素子側に向かう方向に案内されることになる。
【００１０】
更に、支持部側フィンにおける熱検知素子側の縁部に対して支持部側フィンと交差する方向に空気が衝突するので、当該支持部側フィンの縁部を巻き込む形態で乱流が形成される。このように形成された乱流により、熱検知素子の周囲空気を、放熱の要因となる支持部側フィンへの衝突を回避しながら、熱検知素子側に引き寄せて接触させることができる。
【００１１】
従って、本発明により、火災警報機等として構成される熱感知器において、保護カバー内空間に流入した空気を適切に熱検知素子に接触させて、当該熱検知素子において正確に熱を検知可能な技術を提供することができる。
【００１２】
本発明の第２特徴構成は、前記支持部側フィンが、前記支持部の内側面と略直交する方向に延びる平板状に構成され、
前記支持部側フィンと前記感知器本体の前面との間に隙間が形成されている点にある。
【００１３】
本構成によれば、支持部側フィンに対して、支持部の内側面に沿った方向に流れる空気を、略直角に衝突させることができる。すると、支持部側フィンに衝突して当該支持部側フィンに熱を奪われた空気の多くを、支持部側フィンと感知器本体の前面との間の隙間を通じて熱検知素子よりも下流側に排出することができる。よって、支持部側フィンに熱を奪われた空気が熱検知素子に接触することを抑制することができる。
【００１４】
本発明の第３特徴構成は、前記支持部側フィンと前記支持部の内側面との間に隙間が形成されている点にある。
【００１５】
本構成によれば、支持部の内側面と接触して熱を奪われた空気を、支持部側フィンと支持部の内側面との間の隙間を通じて熱検知素子よりも下流側に排出することができる。よって、支持部に熱を奪われた空気が熱検知素子に接触することを抑制することができる。
【００１６】
本発明の第４特徴構成は、前記フィンとして、前記保護カバーの後面と前記感知器本体の前面との間の保護カバー内空間に流入した空気を前記熱検知素子側に向けて案内する流入空気案内用フィンを備えた点にある。
【００１７】
本構成によれば、上記支持部側フィンとは別に上記流入空気案内用フィンを設けることで、保護カバー内空間に流入した空気を積極的に熱感知素子側に向けて案内することができる。
【００１８】
本発明の第５特徴構成は、少なくとも一対の前記支持部が、前記熱検知素子を中心として互いに対称な箇所に配置され、
当該一対の支持部の内側面側の夫々に対して前記支持部側フィンが配置されている点にある。
【００１９】
本構成によれば、一対の支持部の内側面の間の領域において、熱検知素子側に臨む夫々の内側面に沿った空気の流れを一層良好に形成することができる。よって、そのような空気の流れが、熱検知素子の設置位置を挟んで両側に配置された支持部側フィンに衝突することで、好適な乱流や案内作用を発生させることができ、それにより熱検知素子に対して一層適切に空気を接触させることができる。
【図面の簡単な説明】
【００２０】
【図１】第１実施形態の熱感知器の概略構成を示す正面図
【図２】図１の熱感知器の概略構成を示す右側面図
【図３】図１のＡ−Ａ線断面図
【図４】第２実施形態の熱感知器の概略構成を示す正面図
【図５】図４の熱感知器の概略構成を示す右側面図
【図６】図４のＢ−Ｂ線断面図
【発明を実施するための形態】
【００２１】
〔第１実施形態〕
本発明に係る熱感知器の第１実施形態について、図１〜図３に基づいて説明する。
本実施形態の熱感知器１００は、壁面や天井面などに固定される感知器本体１とその感知器本体１の前面１ａに配置された熱検知素子６とを備えた火災警報器として構成されている。
尚、この熱感知器１００において、図１では、手前側が感知器本体１の前側となり、奥側が感知器本体１の後側となる。図２では、左側が感知器本体１の前側となり、右側が感知器本体１の後側となる。図３では、上側が感知器本体１の前側となり、下側が感知器本体１の後側となる。
【００２２】
本実施形態において、感知器本体１は、略直方体形状に構成されているが、例えば、円柱状や円盤状などの他の形状に構成しても構わない。また、熱検知素子６は、公知のサーミスタやバイメタル等の感温部として構成されている。そして、この熱検知素子６は、感知器本体１の前面１ａから前方に突出するように設置されており、その熱検知素子６から後方に延びるリード線部が感知器本体１の前面１ａの略中央部に支持されている。
【００２３】
感知器本体１の内部には、図示は省略するが、制御基板や電源部等などが収容されており、この制御基板等により、利用者への報知を行う報知手段（図示省略）が構成されている。また、感知器本体１の前面１ａには、音声を外部に出力するためのスピーカ孔２やＬＥＤランプの発光部５が配置されている。そして、上記報知手段は、例えば、熱検知素子６が警報レベル以上の熱を継続して検知した場合、例えば、スピーカ孔２から警報音や音声案内を出力したり、発光部５を点滅発光させるなどして、利用者に対して火災の発生を報知するように構成されている。
【００２４】
更に、本実施形態の熱感知器１００は、上述のような火災警報器に加えて、ガス警報器としても機能するように構成されている。即ち、熱感知器１００は、感知器本体１の側面に形成されたガス採取孔３を通じて取り込んだ空気に一酸化炭素や可燃性ガスが警報レベル以上含まれている場合には、スピーカ孔２から警報音や音声案内を出力したり、発光部５を点滅発光させるなどして、利用者に対して不完全燃焼やガス漏れの発生を報知するように構成されている。
感知器本体１の例えば前面１ａの下方側には、火災時等において警報を出力した際に、当該警報を停止するための警報停止ボタン４が設けられている。
【００２５】
感知器本体１の前面１ａには、当該前面１ａから突出して設けられた熱検知素子６を外部の衝撃等から保護するために、当該熱検知素子６の前方を覆う保護カバー２０が設けられている。保護カバー２０は、熱検知素子６よりも前方に配置され、感知器本体１の前面１ａと略平行で、熱検知素子６を中心とする円板状の部材として構成されている。即ち、図２及び図３に示すように、保護カバー２０の後面２０ａと感知器本体１の前面１ａとの間には、偏平な保護カバー内空間Ａが形成される。
保護カバー２０の中心には円形の開口部２０ｂが形成されている。この開口部２０ｂは、火災時において発生する高温空気が前方側から直接熱検知素子６側に向けて直接流入させるための開口として機能する。
【００２６】
保護カバー２０と感知器本体１の前面１ａとを接続する支持部２１が設けられている。この支持部２１は、保護カバー２０の後面２０ａから突出する形態で、当該保護カバー２０と一体的に形成されており、その先端部が感知器本体１の前面１ａに固定される。更に、保護カバー２０の後面２０ａには、当該後面２０ａから後方に延びるフィン３１が設けられている。また、保護カバー２０の後面２０ａからのフィン３１の延出高さは、当該後面２０ａから熱検知素子６の設置位置の高さよりも高いものに設定されている。
即ち、火災時において保護カバー内空間Ａに流入した空気は、フィン３１や支持部２１に衝突又は案内されながら通流する。そして、保護カバー内空間Ａを通流する空気のうちの一部が、熱検知素子６に接触し、その接触した空気の熱が熱検知素子６に対して入熱されることになる。
【００２７】
本実施形態の熱感知器１００は、保護カバー内空間Ａに流入した空気を適切に熱検知素子６に接触させて、当該熱検知素子６において正確に熱を検知可能なものとして構成されている。以下、その構成について説明を加える。
【００２８】
支持部２１は、図１に示すように、保護カバー２０の外周縁部に沿って４箇所に等間隔で配置されている。即ち、熱検知素子６の設置位置において直交する２方向において、熱検知素子６を中心として互いに対称な箇所に配置された１対の支持部２１が夫々配置されている。
【００２９】
夫々の支持部２１は、保護カバー２０の外周縁部に沿って長尺な板状に構成されていており、その支持部２１が有する熱検知素子６側に臨む内側面２１ａは、感知器本体１の前面１ａに沿った方向に比較的長尺なものとなる。
よって、保護カバー内空間Ａでは、熱検知素子６側に臨む支持部２１の内側面２１ａが存在することで、その内側面２１ａに沿った空気の流れが発生し易くなる。特に、支持部２１の内側面２１ａが感知器本体１の前面１ａに沿った方向に比較的長尺のものであることから、この内側面２１ａよりも熱検知素子６側の領域において、多くの空気の流れが内側面２１ａに沿ったものとなる。
【００３０】
保護カバー内空間Ａにおいて、フィン３１は、夫々支持部２１の内側面２１ａ側から熱検知素子６側に延びる支持部側フィンとして設けられている。この支持部側フィン３１は、図１及び図３に示すように、支持部２１の内側面２１ａの中央部から熱検知素子６の設置位置に向けて当該内側面２１ａと略直交する方向に延びる平板状に構成されている。
【００３１】
このような支持部側フィン３１が保護カバー内空間Ａに設けられているので、支持部２１の内側面２１ａに沿った空気の流れは、その流れ方向と交差する方向に延びる支持部側フィン３１に衝突して、支持部側フィン３１に沿った流れに変化する。ここで、支持部側フィン３１に沿って支持部２１の内側面２１ａ側に向かう方向には、その先に内側面２１ａが対向する姿勢で存在することから、その方向に沿った空気の流れは抑制されることになる。よって、支持部側フィン３１に衝突した後の空気の流れは、積極的に、支持部側フィン３１に沿って支持部２１の内側面２１ａ側とは反対側の熱検知素子６側に向かう方向に導かれることになる。
【００３２】
更に、支持部側フィン３１における熱検知素子６側の縁部に対して支持部側フィン３１と交差する方向に空気が衝突するので、当該支持部側フィン３１の縁部を巻き込む形態で乱流が形成される。このように形成された乱流により、熱検知素子６と支持部側フィン３１の縁部との間を通過しようとする空気は、放熱の要因となる支持部側フィン３１への衝突を回避しながら、熱検知素子６側に引き寄せられて当該熱検知素子６に接触することになる。
【００３３】
支持部２１の内側面２１ａと略直交する平板状に構成された支持部側フィン３１と感知器本体１の前面１ａとの間には、隙間Ｇ１が形成されている。このことで、支持部側フィン３１に対して略直交して衝突して当該支持部側フィン３１により熱を奪われた空気の多くは、支持部側フィン３１と感知器本体１の前面１ａとの間の隙間Ｇ１を通じて熱検知素子６よりも下流側に排出されることになる。よって、支持部側フィン３１に接触して熱を奪われた空気が熱検知素子６に接触することを抑制することができ、これにより熱検知素子６において一層正確に熱を検知することができる。
また、この隙間Ｇ１の幅、言い換えれば支持部側フィン３１と感知器本体１の前面１ａとの離間距離は、例えば隙間Ｇ１を通過する空気の流れ状態や支持部側フィン３１と感知器本体１との間の熱伝達状態等を考慮して適切に設定されている。
【００３４】
また、支持部側フィン３１と支持部２１の内側面２１ａとの間には隙間Ｇ２が形成されている。このことで、支持部２１の内側面２１ａに接触して熱を奪われた空気は、支持部側フィン３１と支持部２１の内側面２１ａとの間の隙間Ｇ２を通じて熱検知素子６よりも下流側に排出されることになる。よって、支持部２１の内側面２１ａに接触して熱を奪われた空気が熱検知素子６に接触することを抑制することができ、これにより熱検知素子６において一層正確に熱を検知することができる。
【００３５】
また、この隙間Ｇ２の幅、言い換えれば支持部側フィン３１と支持部２１の内側面２１ａとの離間距離は、例えば隙間Ｇ２を通過する空気の流れ状態や支持部側フィン３１と支持部２１との間の熱伝達状態等を考慮して適切に設定されている。例えば、図３に示すように、支持部２１の内側面２１ａと熱検知素子６の設置位置との間の領域において、支持部側フィン３１は、中心部よりも支持部２１の内側面２１ａ側の範囲に設けられている。即ち、支持部側フィン３１と支持部２１の内側面２１ａとの間の隙間Ｇ２の幅は、支持部側フィン３１と熱検知素子６との間の隙間の幅よりも小さいものに設定されている。
【００３６】
〔第２実施形態〕
本発明に係る熱感知器の第２実施形態について、図４〜図６に基づいて説明する。
本実施形態の熱感知器２００は、前述の第１実施形態の熱感知器１００に対して、保護カバー内空間Ａにおける支持部及びフィンの構成のみが相違する。よって、以下の説明において、前述の第１実施形態と同様の構成については、図面にて同じ符号を付すと共に、詳細な説明を割愛する場合がある。
尚、この熱感知器２００において、図４では、手前側が感知器本体１の前側となり、奥側が感知器本体１の後側となる。図５では、左側が感知器本体１の前側となり、右側が感知器本体１の後側となる。図６では、上側が感知器本体１の前側となり、下側が感知器本体１の後側となる。
【００３７】
本実施形態の熱感知器２００では、保護カバー２０と感知器本体１の前面１ａとを接続する２種類の支持部２２，２３が設けられている。この支持部２２，２３は、保護カバー２０の後面２０ａから突出する形態で、当該保護カバー２０と一体的に形成されており、その先端部が感知器本体１の前面１ａに固定される。更に、保護カバー２０の後面２０ａには、当該後面２０ａから後方に延びる２種類のフィン３２，３３が設けられている。また、保護カバー２０の後面２０ａからのフィン３２，３３の延出高さは、当該後面２０ａから熱検知素子６の設置位置の高さよりも高いものに設定されている。
即ち、火災時において保護カバー内空間Ａに流入した空気は、フィン３２，３３や支持部２２，２３に衝突又は案内されながら通流する。そして、保護カバー内空間Ａを通流する空気のうちの一部が、熱検知素子６に接触し、その接触した空気の熱が熱検知素子６に対して入熱されることになる。
【００３８】
支持部２２，２３は、図４に示すように、保護カバー２０の外周縁部に沿って４箇所に等間隔で配置されている。即ち、上下方向において熱検知素子６を中心として互いに対称な箇所に幅が比較的狭い一対の支持部２３が配置されている。更に、その支持部２３が配置された上下方向とは直交する左右方向において熱検知素子６を中心として互いに対象な箇所に幅が比較的広い一対の支持部２２が配置されている。
【００３９】
保護カバー２０の左右２箇所の縁部に配置された夫々の支持部２２は、上下方向に沿って長尺な板状に構成されていており、その支持部２２が有する熱検知素子６側に臨む内側面２２ａは、上下方向に比較的長尺なものとなる。
よって、保護カバー内空間Ａでは、熱検知素子６側に臨む支持部２２の内側面２２ａが存在することで、その内側面２２ａに沿った上下方向の空気の流れが発生し易くなる。特に、支持部２２の内側面２２ａが上下方向に比較的長尺のものであることから、この内側面２２ａよりも熱検知素子６側の領域において、多くの空気の流れが内側面２２ａに沿った上下方向に沿った流れとなる。
【００４０】
一方、保護カバー２０の上下２箇所の縁部に配置された支持部２３は、保護カバー内空間Ａを通流する空気の上下方向の流れを阻害しないように、左右方向の幅が非常に狭いものとして構成されている。従って、例えば火災時において発生する高温空気の上昇流が、支持部２３に邪魔されることなく、保護カバー内空間Ａに流入することになる。
【００４１】
保護カバー内空間Ａにおいて、フィン３２は、夫々支持部２１の内側面２１ａ側から熱検知素子６側に延びる支持部側フィンとして設けられている。この支持部側フィン３２は、図４及び図６に示すように、支持部２２の内側面２２ａと略直交する平板状に構成されている。
このような支持部側フィン３２が保護カバー内空間Ａに設けられているので、支持部２２の内側面２２ａに沿って上下方向に沿った空気の流れは、その流れ方向と交差する方向に延びる支持部側フィン３２に衝突して、支持部側フィン３２に沿った流れに変化する。ここで、支持部側フィン３２に沿って支持部２２の内側面２２ａ側に向かう方向には、その先に内側面２２ａが対向する姿勢で存在することから、その方向に沿った空気の流れは抑制されることになる。よって、支持部側フィン３２に衝突した後の空気の流れは、積極的に、支持部側フィン３２に沿って支持部２２の内側面２２ａ側とは反対側の熱検知素子６側に向かう方向に導かれることになる。
【００４２】
更に、支持部側フィン３２における熱検知素子６側の縁部に対して支持部側フィン３２と交差する方向に空気が衝突するので、当該支持部側フィン３２の縁部を巻き込む形態で乱流が形成される。このように形成された乱流により、熱検知素子６と支持部側フィン３２の縁部との間を通過しようとする空気は、放熱の要因となる支持部側フィン３２への衝突を回避しながら、熱検知素子６側に引き寄せられて当該熱検知素子６に接触することになる。
【００４３】
保護カバー内空間Ａにおいて、フィン３３は、保護カバー内空間Ａに流入した空気を熱検知素子６側に向けて案内する流入空気案内用フィンとして設けられている。この流入空気案内用フィン３３は、図４及び図６に示すように、熱検知素子６の設置位置の上方側及び下方側の夫々において、熱検知素子６の設置位置を挟んで左右夫々の位置に配置され、熱検知素子６側の離間間隔をそれとは反対側の離間間隔よりも狭くしたハの字状又は逆ハの字状に延びる平板状に構成されている。
【００４４】
このような流入空気案内用フィン３３が保護カバー内空間Ａに設けられているので、保護カバー内空間Ａに流入する空気の流れは、その流入空気案内用フィン３３により積極的に熱検知素子６が設置された中心側に案内されることになる。よって、その案内された空気が熱検知素子６に接触することにより、熱検知素子６に対して一層良好に入熱させることができる。
尚、本実施形態において、例えば保護カバー内空間Ａでの空気の流れが火災時の上昇流に特定できるとして、熱検知素子６の上方側に配置された流入空気案内用フィン３３を省略し、熱検知素子６の下方側のみに流入空気案内用フィン３３を設けても構わない。また、これら全ての流入空気案内用フィン３３を省略しても構わない。
【００４５】
〔別実施形態〕
本発明の他の実施形態について説明する。尚、以下に説明する各実施形態の構成は、それぞれ単独で適用するものに限らず、他の実施形態の構成と組み合わせて適用することも可能である。
【００４６】
（１）上記実施形態では、支持部側フィン３１，３２を、保護カバー２０と感知器本体１の前面１ａとを接続する支持部２１，２２の内側面２１ａ，２２ａと略直交する平板状のものとして構成したが、支持部側フィン３１，３２を、支持部２１，２２の内側面２１ａに対して、直交する方向に延びるものではなく、例えば交差する方向に延びるものとして構成しても構わない。
【００４７】
（２）上記実施形態では、保護カバー２０と感知器本体１の前面１ａとを接続する支持部２１，２２を板状のものとして構成したが、熱検知素子６に望む内側面２１ａ，２２ａを有するものであれば、支持部２１，２２を例えば柱状等の板状以外の形状に構成しても構わない。
【００４８】
（３）上記実施形態では、支持部側フィン３１，３２と感知器本体１の前面１ａとの間や、支持部側フィン３１，３２と支持部２１，２２の内側面２１ａ，２２ａとの間に、隙間Ｇ１，Ｇ２を設けたが、これら隙間の形状や大きさや有無等については適宜偏向しても構わない。
【００４９】
（４）上記実施形態では、少なくとも一対の支持部２１，２２，２３を、熱検知素子６を中心として互いに対称な箇所に配置するように構成したが、例えば上記第２実施形態において上下に設置された支持部２３を省略してもよく、これら支持部２１，２２，２３の配置状態や配置個数や設置の有無等については適宜変更しても構わない。
【符号の説明】
【００５０】
１                感知器本体
１ａ              前面
６                熱検知素子
２０              保護カバー
２０ａ            後面
２１，２２，２３  支持部
２１ａ，２２ａ    内側面
３１，３２        支持部側フィン
３３              流入空気案内用フィン
１００，２００    熱感知器
Ａ                保護カバー内空間
Ｇ１，Ｇ２        隙間
【図１】
2019016183.tif 000003
【図２】
2019016183.tif 000004
【図３】
2019016183.tif 000005
【図４】
2019016183.tif 000006
【図５】
2019016183.tif 000007
【図６】
2019016183.tif 000008
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
感知器本体と、
前記感知器本体の前面から前方に突出するように設けられた熱検知素子と、
前記熱検知素子を覆う保護カバーと、
前記保護カバーの後面と前記感知器本体の前面との間の保護カバー内空間で前後方向に延びる板状のフィンと、
前記保護カバーと前記感知器本体の前面とを接続する支持部と、を備えた熱感知器であって、
前記支持部が、前記熱検知素子側に臨む内側面を有し、
前記フィンとして、前記支持部の内側面側から前記熱検知素子側に延びる支持部側フィンを備えた熱感知器。
【請求項２】
前記支持部側フィンが、前記支持部の内側面と略直交する方向に延びる平板状に構成され、
前記支持部側フィンと前記感知器本体の前面との間に隙間が形成されている請求項１に記載の熱感知器。
【請求項３】
前記支持部側フィンと前記支持部の内側面との間に隙間が形成されている請求項１又は２に記載の熱感知器。
【請求項４】
前記フィンとして、前記保護カバーの後面と前記感知器本体の前面との間の保護カバー内空間に流入した空気を前記熱検知素子側に向けて案内する流入空気案内用フィンを備えた請求項１〜３の何れか１項に記載の熱感知器。
【請求項５】
少なくとも一対の前記支持部が、前記熱検知素子を中心として互いに対称な箇所に配置され、
当該一対の支持部の内側面側の夫々に対して前記支持部側フィンが配置されている請求項１〜４の何れか１項に記載の熱感知器。
【手続補正２】
【補正対象書類名】明細書
【補正対象項目名】０００７
【補正方法】変更
【補正の内容】
【０００７】
本発明の第１特徴構成は、感知器本体と、
前記感知器本体の前面から前方に突出するように設けられた熱検知素子と、
前記熱検知素子を覆う保護カバーと、
前記保護カバーの後面と前記感知器本体の前面との間の保護カバー内空間で前後方向に延びる板状のフィンと、
前記保護カバーと前記感知器本体の前面とを接続する支持部と、を備えた熱感知器であって、
前記支持部が、前記熱検知素子側に臨む内側面を有し、
前記フィンとして、前記支持部の内側面側から前記熱検知素子側に延びる支持部側フィンを備えた点にある。
【手続補正３】
【補正対象書類名】明細書
【補正対象項目名】００４８
【補正方法】変更
【補正の内容】
【００４８】
（３）上記実施形態では、支持部側フィン３１，３２と感知器本体１の前面１ａとの間や、支持部側フィン３１，３２と支持部２１，２２の内側面２１ａ，２２ａとの間に、隙間Ｇ１，Ｇ２を設けたが、これら隙間の形状や大きさや有無等については適宜変更しても構わない。
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
感知器本体と、
前記感知器本体の前面から前方に突出するように設けられた熱検知素子と、
前記熱検知素子を覆う保護カバーと、
前記保護カバーの後面と前記感知器本体の前面との間の保護カバー内空間で前後方向に延びる板状のフィンと、
前記保護カバーの後面と前記感知器本体の前面との間に亘って設けられて、前記保護カバーと前記感知器本体の前面とを接続する支持部と、を備えた熱感知器であって、
前記支持部が、前記熱検知素子側に臨む内側面を有すると共に、前記感知器本体の前面に沿って延びて当該前面及び前記内側面に沿った空気の流れを発生させる板状に構成され、
前記フィンとして、前記支持部の内側面側から前記熱検知素子側に延びる支持部側フィンを備えた熱感知器。
【請求項２】
前記支持部側フィンが、前記支持部の内側面と略直交する方向に延びる平板状に構成され、
前記支持部側フィンと前記感知器本体の前面との間に隙間が形成されている請求項１に記載の熱感知器。
【請求項３】
前記支持部側フィンと前記支持部の内側面との間に隙間が形成されている請求項１又は２に記載の熱感知器。
【請求項４】
前記フィンとして、前記保護カバーの後面と前記感知器本体の前面との間の保護カバー内空間に流入した空気を前記熱検知素子側に向けて案内する流入空気案内用フィンを備えた請求項１〜３の何れか１項に記載の熱感知器。
【請求項５】
少なくとも一対の前記支持部が、前記熱検知素子を中心として互いに対称な箇所に配置され、
当該一対の支持部の内側面側の夫々に対して前記支持部側フィンが配置されている請求項１〜４の何れか１項に記載の熱感知器。
【手続補正２】
【補正対象書類名】明細書
【補正対象項目名】０００７
【補正方法】変更
【補正の内容】
【０００７】
本発明の第１特徴構成は、感知器本体と、
前記感知器本体の前面から前方に突出するように設けられた熱検知素子と、
前記熱検知素子を覆う保護カバーと、
前記保護カバーの後面と前記感知器本体の前面との間の保護カバー内空間で前後方向に延びる板状のフィンと、
前記保護カバーの後面と前記感知器本体の前面との間に亘って設けられて、前記保護カバーと前記感知器本体の前面とを接続する支持部と、を備えた熱感知器であって、
前記支持部が、前記熱検知素子側に臨む内側面を有すると共に、前記感知器本体の前面に沿って延びて当該前面及び前記内側面に沿った空気の流れを発生させる板状に構成され、
前記フィンとして、前記支持部の内側面側から前記熱検知素子側に延びる支持部側フィンを備えた点にある。